(57)【要約】  本発明は、販売機に適用されるＲＦＩＤを利用した商品販売システムに関する。当該商品販売システムは、モバイル端末と、サーバーと、コントローラーと、センサと、ＲＦＩＤリードライト装置と、ＲＦＩＤタグ付き商品と、販売機に設けられているスマートロックと、を含んでいてもよい。前記モバイル端末は、サーバーに購入要求信号を送信し、前記サーバーは、購入要求信号を受信すると、コントローラーにロック解除信号を送信し、前記センサは、販売機の扉が閉じられたことを検知すると、コントローラーにロック閉鎖信号を送信し、前記コントローラーは、サーバーからのロック解除信号及びセンサからのロック閉鎖信号を受信し、当該ロック解除信号又はロック閉鎖信号をスマートロックに送信し、前記ＲＦＩＤリードライト装置は、販売機内の商品のデータを読み出してサーバーに送信する。購入者は、モバイル端末を介して買い物要請を行うことができ、よって主体的に買い物することができ、時間が節約され、操作も便利である。【選択図】図１
2018513514.tif 000002
【特許請求の範囲】
【請求項１】
販売機に適用されるＲＦＩＤを利用した商品販売システムであって、
モバイル端末と、サーバーと、コントローラーと、センサと、ＲＦＩＤリードライト装置と、ＲＦＩＤタグ付き商品と、販売機に設けられているスマートロックと、を含み、
前記モバイル端末は、前記サーバーに商品の購入要求信号を送信し、
前記サーバーは、前記購入要求信号を受信すると、前記コントローラーにロック解除信号を送信し、
前記センサは、販売機の扉が閉じられたことを検知すると、前記コントローラーにロック閉鎖信号を送信し、
前記コントローラーは、前記サーバーからの前記ロック解除信号を受信すると当該ロック解除信号を前記スマートロックに送信し、そして、前記センサからの前記ロック閉鎖信号を受信すると当該ロック閉鎖信号を前記スマートロックに送信し、
前記ＲＦＩＤリードライト装置は、前記販売機内の商品のデータを読み出して前記サーバーに送信する、
ことを特徴とする、ＲＦＩＤを利用した商品販売システム。
【請求項２】
販売機に適用され、前記コントローラーに接続されるカメラを更に含むことを特徴とする、請求項１記載のＲＦＩＤを利用した商品販売システム。
【請求項３】
販売機に適用され、前記コントローラーに接続される提示ランプを更に含むことを特徴とする、請求項１記載のＲＦＩＤを利用した商品販売システム。
【請求項４】
販売機に適用され、前記コントローラーに接続されるスピーカを更に含むことを特徴とする、請求項１記載のＲＦＩＤを利用した商品販売システム。
【請求項５】
販売機に適用され、通信モジュールを更に含み、前記サーバーは、前記通信モジュールを介して前記コントローラーに無線接続されることを特徴とする、請求項１記載のＲＦＩＤを利用した商品販売システム。
【発明の詳細な説明】
【技術分野】
【０００１】
本発明は、電子通信分野に関し、特にＲＦＩＤを利用した商品販売システムに関する。
【背景技術】
【０００２】
ＲＦＩＤは、Ｒａｄｉｏ  Ｆｒｅｑｕｅｎｃｙ  Ｉｄｅｎｔｉｆｉｃａｔｉｏｎの略称、即ち無線通信による認識技術であり、この技術を用いたツールは電子タグ（ＩＣタグ、ＲＦタグ、無線タグ等）と呼ばれている。ＲＦＩＤのような無線通信による認識技術は、非接触式自動認識技術であって、無線電波を利用して目標対象を自動認識して関連データを取得することができる。認識動作には手動介入の必要がなく、様々な過酷環境でも適用可能である。ＲＦＩＤ技術は、高速移動体を認識できるとともに、複数のタグを同時に認識することができ、容易且つ素早い操作が可能である。
【０００３】
販売機(vending machine）は、商品の無人販売システムとして一般的に導入されている機器であり、時間や場所に制限されることもなく、さらに人手をかけることもなく商品を販売でき、２４時間営業の無人販売店といえる。現在、中国では販売機が広く普及しており、既に鉄道や地下鉄の駅、オフィスビル等に設置されている。しかしながら、従来の販売機で商品を購入する際には、購入者は商品を見ながらタッチスクリーン等を操作しなければならず、購入には３分以上もの時間がかかり、すなわち無用に長い操作時間がかかって不便である。また、従来の販売機では、購入者は支払後に初めて商品を受け取るため、実物を見ながら商品購入することができず、受動的で不便である。
【発明の概要】
【発明が解決しようとする課題】
【０００４】
これらの事情に鑑みて、本発明は、構成が簡単で且つ使用が容易であるＲＦＩＤを利用した商品販売システムを提供することを目的とする。
【課題を解決するための手段】
【０００５】
上記目的を実現するため、本発明に係るＲＦＩＤを利用した商品販売システムは、販売機に適用されるものであって、モバイル端末と、サーバーと、コントローラーと、センサと、ＲＦＩＤリードライト装置と、ＲＦＩＤタグ付き商品と、販売機に設けられているスマートロックとを含み、
前記モバイル端末は、サーバーに商品の購入要求信号を送信し、
前記サーバーは、購入要求信号を受信すると、コントローラーにロック解除信号を送信し、
前記センサは、販売機の扉が閉じられたことを検知すると、コントローラーにロック閉鎖信号を送信し、
前記コントローラーは、サーバーからのロック解除信号を受信すると当該ロック解除信号をスマートロックに送信し、そして、センサからのロック閉鎖信号を受信すると当該ロック閉鎖信号を前記スマートロックに送信し、
前記ＲＦＩＤリードライト装置は、販売機内の商品データを読み出して、サーバーに送信することを特徴とする。
【０００６】
また、前記商品販売システムは、コントローラーに接続されるカメラを更に含んでいてもよい。
【０００７】
また、前記商品販売システムは、コントローラーに接続される提示ランプを更に含んでいてもよい。
【０００８】
また、前記商品販売システムは、コントローラーに接続されるスピーカを更に含んでいてもよい。
【０００９】
また、前記商品販売システムは、通信モジュールを更に含み、前記サーバーは、通信モジュールを介してコントローラーに無線接続されていてもよい。
【発明の効果】
【００１０】
本発明によれば、購入者は、モバイル端末を介して商品購入をリクエストすることができ、より主体的に購入することができ、時間が節約され、操作も簡単である。
【図面の簡単な説明】
【００１１】
【図１】本発明の実施例を示すフレーム図である。
【発明を実施するための形態】
【００１２】
以下、図面と具体的な実施例とを参照しながら、本発明を更に説明する。
【００１３】
図１に示すように、本実施例に係るＲＦＩＤを利用した商品販売システムは、販売機に適用されるものであって、主には、モバイル端末１と、モバイル端末１又は販売機に設けられている支払装置と、サーバー２と、コントローラー３と、センサ４と、ＲＦＩＤリードライト装置５と、ＲＦＩＤタグ付き商品６と、販売機に設けられているスマートロック（Intelligent Lock）７と、を含んでいる。
モバイル端末１は、サーバー２に商品の購入要求信号を送信する。サーバー２は、購入要求信号を受信すると、コントローラー３にロック解除信号を送信する。センサ４は、販売機の扉が閉じられていることを検知した後、センサ４はコントローラー３にロック閉鎖信号を送信する。コントローラー３は、サーバー２からのロック解除信号又はセンサ４からのロック閉鎖信号を、スマートロック７に送信する。ＲＦＩＤリードライト装置５は、販売機内の商品データを読み出してサーバー２に送信する。購入者によって購入された商品を確認すると共に支払装置を経由して商品代金を課金するために、サーバー２は、さらにＲＦＩＤリードライト装置５から商品データを受信し、販売機内の商品種類及び数量を計算して、前回の計算結果と比較する。サーバー２が商品データにより商品種類及び商品数量を計算することは、公知技術である。
【００１４】
購入者は、モバイル端末１を通じてサーバー２にログインすることにより、サーバー２とモバイル端末の接続を確立する。サーバー２に購入者の購入希望を示す購入要求信号が送信される。コントローラー３はスマートロック７の開閉を制御しているが、サーバー２がコントローラー３に当該購入要求信号を送信すると、コントローラー３がスマートロック７にロック解除信号を送信することにより、スマートロックを開く。したがって購入者は、販売機の扉を開くことができ、販売機内の実際の商品を見ながら自分の好みの商品を選択することができる。
【００１５】
購入者による選択が終了し、即ち販売機の扉が閉じられた後、センサ４は、販売機の扉が閉じられたことを検知して、コントローラー３にロック閉鎖信号を送信する。コントローラー３は、ロック閉鎖信号をスマートロック７に送信して、スマートロック７がロックされるように制御する。販売機の扉はシールド機能を有しており、購入者が商品の選択を終了して販売機の扉が閉じられると、ＲＦＩＤリードライト装置５は、購入者が取り出した商品に係る信号を読み出すことはできなくなり、販売機内に残った商品データのみを読み出してサーバー２に送信することにより、サーバー２は、購入者が購入した商品の種類及び数量に関する情報を取得して、支払装置により費用を差引くことができる。
【００１６】
このようにして、購入者は、自由に買い物することができ、商品の様子をよく見てから、必要な商品を選択することができ、従来の販売機で扉（窓）を隔てて商品を選択しなければならないという不備は解消される。
【００１７】
本実施例は、通信モジュール１１を更に含んでいてもよい。サーバー２は、具体的には、当該通信モジュール１１を介してコントローラー３に無線接続される。当該通信モジュール１１の型番として、例えばＡＴＫ-ＳＴＭ９００Ａを用いることができる。当該型番の通信モジュール１１であれば、機能が揃っており、様々なインターフェイスを有しており、取り付けが容易で、且つ安定して機能することができるためである。上記ＲＦＩＤリードライト装置５の型番としては例えばＺＫ-ＲＦＩＤ４０３を用いることができる。その作動モードは応答モードであって、周波数ホッピング又は固定周波数送信により作動し、各種標準に合致するＲＦＩＤタグに対して十分な対応が可能である。本実施例で用いられる型番は、いずれも例示されるものであり、これら型番に限定されない。
【００１８】
本実施例では、費用自動差引技術を利用しているが、当該技術は公知技術である。不正のない取引を確実にし、支払装置の残金不足で費用の差し引きができないことにより、販売側が損失を受けることを避けるために、サーバー２に接続される信用システムを更に含み、決済に失敗する場合、サーバー２は支払失敗信号を信用システムに送信し、信用システムは当該支払失敗信号に基づく情報を記録し、当該購入者の支払装置の信用値を差し引くようにしてもよい。
【００１９】
本実施例の商品販売システムは、コントローラー３に接続される提示ランプ９を更に含んでいてもよい。コントローラー３は、スマートロック７を解除させるとともに、提示ランプ９が点灯するように制御し、購入者に対して、スマートロック７が解除されており、販売機の扉が開いていて買い物ができることを示す。また、コントローラー３に接続されるスピーカ１０を更に含んでいてもよい。同様に、コントローラー３は、スピーカ１０を制御して、「認証できました。扉を開けてください。」というアナウンスを出力させ、購入者が自分で販売機の扉を開けて商品を選択することができることを示す。スピーカ１０によるアナウンスは、公知技術を利用すればよい。なお、販売機に設けられ、コントローラー３に接続されるカメラ８を更に含み、当該カメラ８は、販売機の情況をリアルタイムで監視するように構成してもよい。
【００２０】
当業者にとって、前記技術案及び発想に基づいて、様々な改良や変形が可能であるが、これら改良や変形も全て本発明の請求の範囲で定められる保護範囲に含まれる。
【符号の説明】
【００２１】
１  モバイル端末
２  サーバー
３  コントローラー
４  センサ
５  ＲＦＩＤリードライト装置
６  商品
７  スマートロック
８  カメラ
９  提示ランプ
１０  スピーカ
１１  通信モジュール
【図１】
2018513514.tif 000003
【手続補正書】
【提出日】平成29年12月13日(2017.12.13)
【手続補正１】
【補正対象書類名】特許請求の範囲
【補正対象項目名】全文
【補正方法】変更
【補正の内容】
【特許請求の範囲】
【請求項１】
ＲＦＩＤタグ付き商品を保管し、扉から前記商品を取り出すことが可能な販売機と、
商品の購入要求信号を受信すると前記扉を解錠する機能を有するサーバーとを備える商品販売システムであって、  
前記販売機は、内部にＲＦＩＤリードライト装置を有すると共にその動作を制御するコントローラーと、
前記扉が閉じられると購入者が取り出した商品に係る信号を読み出すことはできなくなる前記ＲＦＩＤリードライト装置に対するシールド機能と
を具備するものであり、
前記ＲＦＩＤリードライト装置が前記販売機内の前記ＲＦＩＤタグ付き商品の種類及び数量を読み取り、前記コントローラーを通じて前記扉の開閉前後を比較した結果に基づく情報を前記サーバーに送信することにより、前記サーバーが、購入された商品に対する決済を処理することを特徴とする、商品販売システム。
【請求項２】
販売機をリアルタイムで監視するカメラを更に具備する請求項１記載の商品販売システム。
【請求項３】
前記販売機の扉が解錠されている間点灯し、買い物ができることを示す提示ランプを更に含むことを特徴とする、請求項１記載の商品販売システム。
【請求項４】
前記販売機の扉が解錠されている間作動し、買い物ができることを促すスピーカを更に含むことを特徴とする、請求項１記載の商品販売システム。
【請求項５】
複数の異なる種類のインターフェイスを有する通信モジュールを更に含み、
前記サーバーは、前記通信モジュールを介して前記コントローラーに無線接続されることを特徴とする、請求項１記載の商品販売システム。
【国際調査報告】
2018513514.tif 000004
2018513514.tif 000005
2018513514.tif 000006
2018513514.tif 000007